(57)【要約】【課題】処理能力が異なる複数の画像処理を用いた場合であっても、画質の劣化を防止するとともに、高速なフレームレートで画像を生成することができる撮像装置、撮像方法およびプログラムを提供する。【解決手段】被写体を撮像し、該被写体の画像データを生成する撮像素子２０３と、撮像素子２０３が生成した画像データに対して画像処理が可能であり、異なる性能を有する第１画像処理部２０７および第２画像処理部２０８と、画像データを複数の領域に分割し、各領域に対して第１画像処理部２０７および第２画像処理部２０８に画像処理を実行させる画像処理制御部２２１ａと、を備える。【選択図】図１
2014033264.tif 000002
【特許請求の範囲】
【請求項１】
被写体を撮像し、該被写体の画像データを時間的に連続して生成する撮像部と、
前記撮像部が生成した前記画像データに対して画像処理が可能であり、互いに異なる性能を有する複数の画像処理部と、
前記画像データを複数の領域に分割し、各領域に対して前記複数の画像処理部による画像処理の領域が異なるように前記複数の画像処理部による画像処理を実行させることを特徴とする画像処理制御部と、
を備えたことを特徴とする撮像装置。
【請求項２】
前記画像処理制御部は、前記画像データを分割する数を前記複数の画像処理部の数以上にすることを特徴とする請求項１に記載の撮像装置。
【請求項３】
前記画像処理制御部は、前記画像データを水平ラインおよび／または垂直ラインに沿って複数の領域に分割することを特徴とする請求項１または２に記載の撮像装置。
【請求項４】
前記画像処理制御部は、前記画像データを水平または垂直の１ライン毎に分割することを特徴とする請求項３に記載の撮像装置。
【請求項５】
前記複数の画像処理は、特定の情報を取得するフィルタ処理が可能であり、
前記画像処理制御部は、前記フィルタ処理のサイズに応じて、前記画像データを帯状の領域に分割することを特徴とする請求項３に記載の撮像装置。
【請求項６】
前記画像処理制御部は、前記画像データを格子状の領域に分割することを特徴とする請求項３に記載の撮像装置。
【請求項７】
前記画像処理制御部は、前記画像データを分割する領域の大きさを不規則に変更することを特徴とする請求項３に記載の撮像装置。
【請求項８】
前記画像処理制御部は、前記画像データ毎に前記複数の画像処理部に実行させる前記領域を変更することを特徴とする請求項１〜７のいずれか一つに記載の撮像装置。
【請求項９】
前記複数の画像処理部は、複数の画像データを合成する合成処理が可能であり、合成時の演算精度または丸め精度が互いに異なることを特徴とする請求項１〜８のいずれか一つに記載の撮像装置。
【請求項１０】
前記画像データに対応する画像を時系列に沿って順次表示する表示部をさらに備え、
前記画像処理制御部は、当該撮像装置が動画撮影を行う場合または前記表示部が前記画像を時系列に沿って順次表示する場合、前記複数の画像処理部それぞれに画像処理を実行させることを特徴とする請求項１〜９のいずれか一つに記載の撮像装置。
【請求項１１】
前記画像処理制御部は、当該撮像装置が静止画撮影を行う場合、前記複数の画像処理部のいずれか一つに前記画像データに対する画像処理を実行させることを特徴とする請求項１〜１０のいずれか一つに記載の撮像装置。
【請求項１２】
前記複数の画像処理部は、当該撮像装置が静止画撮影を行う際に記録用の画像処理を行う第１画像処理部と、前記表示部が前記画像データに対応する画像を表示する際に表示用の画像処理を行う第２画像処理部とであることを特徴とする請求項１０または１１に記載の撮像装置。
【請求項１３】
被写体を撮像し、該被写体の画像データを時間的に連続して生成する撮像部と、前記撮像部が生成した前記画像データに対して画像処理が可能であり、互いに異なる性能を有する複数の画像処理部と、を備えた撮像装置が実行する撮像方法であって、
前記画像データを複数の領域に分割し、各領域に対して前記複数の画像処理部による画像処理の領域が異なるように前記複数の画像処理部による画像処理を実行させることを特徴とする画像処理制御ステップを含むことを特徴とする撮像方法。
【請求項１４】
被写体を撮像し、該被写体の画像データを時間的に連続して生成する撮像部と、前記撮像部が生成した前記画像データに対して画像処理が可能であり、互いに異なる性能を有する複数の画像処理部と、を備えた撮像装置が実行させるプログラムであって、
前記画像データを複数の領域に分割し、各領域に対して前記複数の画像処理部による画像処理の領域が異なるように前記複数の画像処理部による画像処理を実行させる画像処理制御ステップを含むことを特徴とするプログラム。
【発明の詳細な説明】
【技術分野】
【０００１】
本発明は、被写体を撮像して該被写体の画像データを生成する撮像装置、撮像装置が実行する撮像方法およびプログラムに関する。
【背景技術】
【０００２】
近年、デジタルカメラ等の撮像装置において、複数の画像処理エンジン（画像処理回路）を用いて高速なフレームレートで画像データを生成する技術が知られている（特許文献１参照）。この技術では、１フレームの画像データを複数の領域に分割し、この複数の領域それぞれに対して画像処理エンジンが並列に画像処理を施すことによって、高速なフレームレートを実現している。
【先行技術文献】
【特許文献】
【０００３】
【特許文献１】特開２００２−２４７５９３号公報
【発明の概要】
【発明が解決しようとする課題】
【０００４】
ところで、上述した特許文献１では、複数の画像処理エンジンのうち他の画像処理エンジンと異なる性能の画像処理エンジンが含まれている場合、画像処理エンジンの性能が異なることで、領域毎に画質差が現れて画質劣化が生じるという問題点があった。
【０００５】
本発明は、上記に鑑みてなされたものであって、性能が異なる複数の画像処理エンジンを用いた場合であっても、高速なフレームレートで画像を生成することができるとともに、画質の劣化を防止する撮像装置、撮像方法およびプログラムを提供することを目的とする。
【課題を解決するための手段】
【０００６】
上述した課題を解決し、目的を達成するために、本発明にかかる撮像装置は、被写体を撮像し、該被写体の画像データを時間的に連続して生成する撮像部と、前記撮像部が生成した前記画像データに対して画像処理が可能であり、互いに異なる性能を有する複数の画像処理部と、前記画像データを複数の領域に分割し、各領域に対して前記複数の画像処理部による画像処理の領域が異なるように前記複数の画像処理部による画像処理を実行させることを特徴とする画像処理制御部と、を備えたことを特徴とする。
【０００７】
また、本発明にかかる撮像装置は、上記発明において、前記画像処理制御部は、前記画像データを分割する数を前記複数の画像処理部の数以上にすることを特徴とする。
【０００８】
また、本発明にかかる撮像装置は、上記発明において、前記画像処理制御部は、前記画像データを水平ラインおよび／または垂直ラインに沿って複数の領域に分割することを特徴とする。
【０００９】
また、本発明にかかる撮像装置は、上記発明において、前記画像処理制御部は、前記画像データを水平または垂直の１ライン毎に分割することを特徴とする。
【００１０】
また、本発明にかかる撮像装置は、上記発明において、前記複数の画像処理は、特定の情報を取得するフィルタ処理が可能であり、前記画像処理制御部は、前記フィルタ処理のサイズに応じて、前記画像データを帯状の領域に分割することを特徴とする。
【００１１】
また、本発明にかかる撮像装置は、上記発明において、前記画像処理制御部は、前記画像データを格子状の領域に分割することを特徴とする。
【００１２】
また、本発明にかかる撮像装置は、上記発明において、前記画像処理制御部は、前記画像データを分割する領域の大きさを不規則に変更することを特徴とする。
【００１３】
また、本発明にかかる撮像装置は、上記発明において、前記画像処理制御部は、前記画像データ毎に前記複数の画像処理部に実行させる前記領域を変更することを特徴とする。
【００１４】
また、本発明にかかる撮像装置は、上記発明において、前記複数の画像処理部は、複数の画像データを合成する合成処理が可能であり、合成時の演算精度または丸め精度が互いに異なることを特徴とする。
【００１５】
また、本発明にかかる撮像装置は、上記発明において、前記画像データに対応する画像を時系列に沿って順次表示する表示部をさらに備え、前記画像処理制御部は、当該撮像装置が動画撮影を行う場合または前記表示部が前記画像を時系列に沿って順次表示する場合、前記複数の画像処理部それぞれに画像処理を実行させることを特徴とする。
【００１６】
また、本発明にかかる撮像装置は、上記発明において、前記画像処理制御部は、当該撮像装置が静止画撮影を行う場合、前記複数の画像処理部のいずれか一つに前記画像データに対する画像処理を実行させることを特徴とする。
【００１７】
また、本発明にかかる撮像装置は、上記発明において、前記複数の画像処理部は、当該撮像装置が静止画撮影を行う際に記録用の画像処理を行う第１画像処理部と、前記表示部が前記画像データに対応する画像を表示する際に表示用の画像処理を行う第２画像処理部とであることを特徴とする。
【００１８】
また、本発明にかかる撮像方法は、被写体を撮像し、該被写体の画像データを時間的に連続して生成する撮像部と、前記撮像部が生成した前記画像データに対して画像処理が可能であり、互いに異なる性能を有する複数の画像処理部と、を備えた撮像装置が実行する撮像方法であって、前記画像データを複数の領域に分割し、各領域に対して前記複数の画像処理部による画像処理の領域が異なるように前記複数の画像処理部による画像処理を実行させることを特徴とする画像処理制御ステップを含むことを特徴とする。
【００１９】
また、本発明にかかるプログラムは、被写体を撮像し、該被写体の画像データを時間的に連続して生成する撮像部と、前記撮像部が生成した前記画像データに対して画像処理が可能であり、互いに異なる性能を有する複数の画像処理部と、を備えた撮像装置が実行させるプログラムであって、前記画像データを複数の領域に分割し、各領域に対して前記複数の画像処理部による画像処理の領域が異なるように前記複数の画像処理部による画像処理を実行させる画像処理制御ステップを含むことを特徴とする。
【発明の効果】
【００２０】
本発明によれば、画像処理制御部が画像データを複数の領域に分割し、各領域に対して前記複数の画像処理部による画像処理の領域が異なるように複数の画像処理部による画像処理を実行させるので、処理能力が異なる複数の画像処理を用いた場合であっても、高速なフレームレートで画像を生成することができるとともに、画質の劣化を防止することができるという効果を奏する。
【図面の簡単な説明】
【００２１】
【図１】図１は、本発明の一実施の形態にかかる撮像装置の構成を示すブロック図である。
【図２】図２は、本発明の一実施の形態にかかる撮像装置が行う処理の概要を示すフローチャートである。
【図３】図３は、図２の画像制御処理の概要を示すフローチャートである。
【図４】図４は、本発明の一実施の形態にかかる撮像装置が静止画撮影を行う際に、制御部が各部に対して指示する制御の処理タイミングを示すタイミングチャートである。
【図５】図５は、本発明の一実施の形態にかかる撮像装置が動画撮影またはライブビュー画像の表示を行う際に、制御部が各部に対して指示する制御の処理タイミングを示すタイミングチャートである。
【図６】図６は、本発明の一実施の形態にかかる撮像装置の画像処理制御部が撮像素子によって生成された１フレームの画像データに対して、第１画像処理部および第２画像処理部それぞれに実行する画像処理の領域を模式的に示す図である。
【図７】図７は、本発明の一実施の形態の変形例３にかかる撮像装置の画像処理制御部が第１画像処理部および第２画像処理部それぞれに設定する画像データの領域を模式的に示す図である。
【図８】図８は、本発明の一実施の形態の変形例４にかかる撮像装置の画像処理制御部が第１画像処理部および第２画像処理部それぞれに設定する画像データの領域を模式的に示す図である。
【図９】図９は、本発明の一実施の形態の変形例５にかかる撮像装置の画像処理制御部が第１画像処理部および第２画像処理部それぞれに設定する画像データの領域を模式的に示す図である。
【発明を実施するための形態】
【００２２】
以下、図面を参照して、本発明を実施するための形態（以下、「実施の形態」という）について説明する。また、以下において、同一の部分には同一の符号を付して説明する。なお、この実施の形態によって本発明が限定されるものではない。
【００２３】
図１は、本発明の一実施の形態にかかる撮像装置の構成を示すブロック図である。図１に示す撮像装置１は、本体部２と、本体部２に着脱自在なレンズ部３と、を備える。
【００２４】
本体部２は、シャッタ２０１と、シャッタ駆動部２０２と、撮像素子２０３と、撮像素子駆動部２０４と、信号処理部２０５と、Ａ／Ｄ変換部２０６と、第１画像処理部２０７と、第２画像処理部２０８と、ＡＥ処理部２０９と、ＡＦ処理部２１０と、画像圧縮展開部２１１と、操作入力部２１２と、表示部２１３と、表示駆動部２１４と、記録媒体２１５と、メモリＩ／Ｆ２１６と、ＳＤＲＡＭ（Synchronous  Dynamic  Random  Access  Memory）２１７と、Ｆｌａｓｈメモリ２１８と、本体通信部２１９と、バス２２０と、制御部２２１と、を備える。
【００２５】
シャッタ２０１は、撮像素子２０３の状態を露光状態または遮光状態に設定する。シャッタ駆動部２０２は、ステッピングモータ等を用いて構成され、制御部２２１から入力される信号に応じてシャッタ２０１を駆動する。
【００２６】
撮像素子２０３は、レンズ部３を介して被写体を撮像し、この被写体の画像データを時間的に連続して生成する。具体的には、撮像素子２０３は、レンズ部３が集光した光を受光して電気信号に変換するＣＣＤ（Charge  Coupled  Device）またはＣＭＯＳ（Complementary  Metal  Oxide  Semiconductor）等を用いて構成される。撮像素子駆動部２０４は、所定のタイミングで撮像素子２０３から画像データ（アナログ信号）を信号処理部２０５へ出力させる。この意味で、撮像素子駆動部２０４は、電子シャッタとして機能する。なお、本実施の形態では、撮像素子２０３が撮像部として機能する。
【００２７】
信号処理部２０５は、撮像素子２０３から入力されるアナログ信号に対して、ノイズ低減処理、ゲインアップ処理および波形整形処理等のアナログ処理を施してＡ／Ｄ変換部２０６へ出力する。
【００２８】
Ａ／Ｄ変換部２０６は、信号処理部２０５から入力されるアナログ信号に対してＡ／Ｄ変換を行うことによってデジタルの画像データを生成し、バス２２０を介してＳＤＲＡＭ２１７へ出力する。
【００２９】
第１画像処理部２０７は、画像処理エンジンとして機能し、バス２２０を介してＳＤＲＡＭ２１７から画像データ（ＲＡＷデータ）を取得し、取得した画像データに対して各種の画像処理を行う。この画像処理を行った画像データは、バス２２０を介してＳＤＲＡＭ２１７へ出力される。ここで、画像処理としては、オプティカルブラック低減処理、ホワイトバランス調整処理、カラーマトリクス演算処理、ガンマ補正処理、色再現処理、エッジ強調処理、複数の画像データを合成する合成処理および撮像素子２０３がベイヤー配列の場合には画像データの同時化処理等である。さらに、第１画像処理部２０７は、画像データに対して、特定の情報を取得するフィルタ処理が可能である。第１画像処理部２０７が行うフィルタ処理は、ローパスフィルタ処理、バンドバスフィルタ処理、ぼかしフィルタ処理、ノイズリダクションフィルタ処理、エッジ抽出フィルタ処理およびγフィルタ処理を行う。また、第１画像処理部２０７は、画像データを合成する合成時の演算精度が１２ビットであり、画像データの丸め精度が１２ビットである。さらにまた、第１画像処理部２０７は、ノイズリダクションフィルタ処理、ぼかしフィルタ処理およびγフィルタ処理それぞれを画素数７×７の領域に演算を施す。また、第１画像処理部２０７は、撮像装置１が静止画撮影を行う際に記録用の画像処理を行う。
【００３０】
第２画像処理部２０８は、画像処理エンジンとして機能し、バス２２０を介してＳＤＲＡＭ２１７から画像データを取得し、取得した画像データに対して、第１画像処理部２０７と同様の画像処理を行って、ＳＤＲＡＭ２１７へ出力する。さらに、第２画像処理部２０８は、画像データに対して、フィルタ処理が可能である。第２画像処理部２０８が行うフィルタ処理は、ローパスフィルタ処理、バンドバスフィルタ処理、ぼかしフィルタ処理、ノイズリダクションフィルタ処理、エッジ抽出フィルタ処理およびγフィルタ処理である。また、第２画像処理部２０８は、第１画像処理部２０７に比して簡易な画像処理回路によって構成され、第１画像処理部２０７と性能（処理能力）が異なる。具体的には、第２画像処理部２０８は、画像データを合成する合成時の演算精度が８ビットであり、丸め精度が８ビットである。さらにまた、第２画像処理部２０８は、ノイズリダクションフィルタ処理、ぼかしフィルタ処理およびγフィルタ処理それぞれを画素数３×３の領域に演算を施す。また、第２画像処理部２０８は、撮像装置１が動画撮影を行う場合または表示部２１３がライブビュー画像を表示する場合、表示用の画像処理（簡易な画像処理）を行う。
【００３１】
ＡＥ処理部２０９は、バス２２０を介してＳＤＲＡＭ２１７に記録された画像データを取得し、取得した画像データに基づいて、静止画撮影または動画撮影を行う際の露出条件を設定する。具体的には、ＡＥ処理部２０９は、画像データから輝度を算出し、算出した輝度に基づいて、たとえば絞り値（ｆ値）、シャッタ速度等を決定することで撮像装置１の自動露出を行う。
【００３２】
ＡＦ処理部２１０は、バス２２０を介してＳＤＲＡＭ２１７に記録された画像データを取得し、取得した画像データに基づいて、撮像装置１の自動焦点の調整を行う。たとえば、ＡＦ処理部２１０は、画像データから高周波成分の信号を取り出し、この高周波成分の信号に対してＡＦ（Auto  Focus）演算処理を行うことによって、撮像装置１の合焦評価を決定することで撮像装置１の自動焦点の調整を行う。
【００３３】
画像圧縮展開部２１１は、バス２２０を介してＳＤＲＡＭ２１７から画像データを取得し、取得した画像データに対して所定の形式に従って圧縮し、この圧縮した画像データをＳＤＲＡＭ２１７へ出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部２１１は、バス２２０およびメモリＩ／Ｆ２１６を介して記録媒体２１５に記録された画像データ（圧縮画像データ）を取得し、取得した画像データを展開（伸張）してＳＤＲＡＭ２１７へ出力する。
【００３４】
操作入力部２１２は、静止画撮影を指示する指示信号の入力を受け付けるレリーズボタン２１２ａと、動画撮影を指示する指示信号の入力を受け付ける動画ボタン２１２ｂと、撮像装置１の撮影モードの切り替えを指示する指示信号の入力を受け付けるモード切替ボタン２１２ｃと、撮像装置１の各種パラメータの設定を指示する指示信号の入力を受け付けるメニューボタン２１２ｄと、記録媒体２１５に記録された画像データの再生を指示する指示信号の入力を受け付ける再生ボタン２１２ｅと、撮像装置１の電源をオン状態またはオフ状態に切り替える電源ボタン２１２ｆと、を有する。レリーズボタン２１２ａは、外部からの押圧により進退可能である。レリーズボタン２１２ａが半押しされた場合、撮影準備動作を指示する１ｓｔレリーズ信号が入力される。これに対して、レリーズボタン２１２ａが全押しされた場合、静止画撮影を指示する２ｎｄレリーズ信号が入力される。
【００３５】
表示部２１３は、画像データに対応する画像を表示する。表示部２１３は、液晶または有機ＥＬ（Electro  Luminescence）等からなる表示パネルを用いて構成される。表示駆動部２１４は、バス２２０を介してＳＤＲＡＭ２１７が記録する画像データまたは記録媒体２１５が記録する画像データを取得し、取得した画像データに対応する画像を表示部２１３に表示させる。ここで、画像の表示には、撮影直後の画像データを所定時間（たとえば３秒）だけ表示するレックビュー表示、記録媒体２１５に記録された画像データを再生する再生表示、および撮像素子２０３が連続的に生成する画像データに対応するライブビュー画像を時系列に沿って順次表示するライブビュー表示等が含まれる。また、表示部２１３は、撮像装置１の操作情報および撮影に関する情報を適宜表示する。
【００３６】
記録媒体２１５は、撮像装置１の外部から装着されるメモリカード等を用いて構成され、メモリＩ／Ｆ２１６を介して撮像装置１に着脱自在に装着される。記録媒体２１５は、画像圧縮展開部２１１が処理を施した画像データやＲＡＷデータ等を記録する。
【００３７】
ＳＤＲＡＭ２１７は、バス２２０を介してＡ／Ｄ変換部２０６から入力される画像データ、第１画像処理部２０７から入力される画像データ、第２画像処理部２０８から入力される画像データおよび撮像装置１の処理中の情報を一時的に記録する。たとえば、ＳＤＲＡＭ２１７は、信号処理部２０５、Ａ／Ｄ変換部２０６およびバス２２０を介して、撮像素子２０３が１フレーム毎に順次出力する画像データを一時的に記録する。
【００３８】
Ｆｌａｓｈメモリ２１８は、プログラム記録部２１８ａを有する。プログラム記録部２１８ａは、撮像装置１を動作させるための各種プログラム、プログラムの実行中に使用される各種データ、第１画像処理部２０７および第２画像処理部２０８による画像処理の動作に必要な各種パラメータ等を記録する。また、Ｆｌａｓｈメモリ２１８は、撮像装置１を特定するための製造番号等を記録する。
【００３９】
本体通信部２１９は、本体部２に装着されるレンズ部３との通信を行うための通信インターフェースである。本体通信部２１９には、レンズ部３との電気的な接点も含まれる。
【００４０】
バス２２０は、撮像装置１の各構成部を接続する伝送路として機能する。バス２２０は、撮像装置１の内部で発生した各種データを撮像装置１の各構成部に転送する。
【００４１】
制御部２２１は、ＣＰＵ（Central  Processing  Unit）等を用いて構成され、バス２２０を介して操作入力部２１２から入力された指示信号に応じて、撮像装置１を構成する各部に対して制御信号や各種データの送信を行うことにより、撮像装置１の動作を統括的に制御する。具体的には、制御部２２１は、レリーズボタン２１２ａから２ｎｄレリーズ信号が入力された場合、撮像装置１における静止画撮影動作を開始する制御を行う。ここで、撮像装置１における静止画撮影動作とは、シャッタ駆動部２０２および撮像素子駆動部２０４の駆動によって撮像素子２０３が出力した画像データに対して、信号処理部２０５、Ａ／Ｄ変換部２０６および第１画像処理部２０７および／または第２画像処理部２０８が所定の処理を施す動作をいう。このように処理が施された画像データは、画像圧縮展開部２１１で所定の形式に従って圧縮され、バス２２０およびメモリＩ／Ｆ２１６を介して記録媒体２１５に記録される。なお、本実施の形態では、記録媒体２１５が記録部の一部をなしているが、記録媒体２１５とは別に撮像装置１の内部に記録部の機能を有する記録領域を確保し、この記録領域に画像データを記録するようにしてもよい。
【００４２】
ここで、制御部２２１の詳細な構成について説明する。制御部２２１は、画像処理制御部２２１ａと、表示制御部２２１ｂと、を有する。
【００４３】
画像処理制御部２２１ａは、撮像素子２０３が生成した画像データを複数の領域に分割し、各領域に対して第１画像処理部２０７または第２画像処理部２０８のいずれかに画像処理を実行させる。具体的には、画像処理制御部２２１ａは、撮像素子２０３が生成した画像データを複数の領域に分割し、各領域に対して第１画像処理部２０７または第２画像処理部２０８による画像処理の領域が異なるように第１画像処理部２０７または第２画像処理部２０８による画像処理を実行させる。また、画像処理制御部２２１ａは、撮像装置１が高速フレームレートで動画撮影または表示部２１３にライブビュー画像を表示させる場合、第１画像処理部２０７および第２画像処理部２０８の数以上に画像データの領域を分割する。具体的には、画像処理制御部２２１ａは、画像データを水平ラインおよび／または垂直ラインに沿って複数の領域に分割し、各領域に対して第１画像処理部２０７および第２画像処理部２０８による画像処理の領域が異なるように第１画像処理部２０７または第２画像処理部２０８による画像処理の領域を順次切り替えながら実行させる。たとえば、画像処理制御部２２１ａは、画像データを水平ライン毎に領域を分割し、ライン毎に第１画像処理部２０７および第２画像処理部２０８による画像処理を交互に切り替えながら実行させる。また、画像処理制御部２２１ａは、撮像装置１が静止画撮影を行う場合、画像データに対して第１画像処理部２０７に画像処理を実行させる。
【００４４】
表示制御部２２１ｂは、表示部２１３の表示態様を制御する。具体的には、表示制御部２２１ｂは、表示駆動部２１４を駆動し、画像データを対応する画像を表示部２１３に表示させる。
【００４５】
以上の構成を有する本体部２に対して、音声入出力部、被写体に対して補助光（フラッシュ）を発光する補助光発光部、インターネットを介して外部の装置と双方向に通信を行う機能を有する通信部等をさらに設けてもよい。
【００４６】
つぎに、レンズ部３の構成を説明する。レンズ部３は、光学系３０１と、レンズ駆動部３０２と、絞り３０３と、絞り駆動部３０４と、レンズ操作部３０５と、レンズＦｌａｓｈメモリ３０６と、レンズ通信部３０７と、レンズ制御部３０８と、を備える。
【００４７】
光学系３０１は、所定の視野領域から光を集光する。光学系３０１は、複数のレンズを用いて構成される。光学系３０１は、焦点距離を変化させる光学ズーム機能および焦点を変化させるフォーカス機能を有する。レンズ駆動部３０２は、光学系３０１を光軸Ｌ上に沿って移動させることにより、光学系３０１のピント位置や焦点距離等の変更を行う。
【００４８】
絞り３０３は、光学系３０１が集光した光の入射量を制限することにより露出の調整を行う。絞り駆動部３０４は、ステッピングモータ等を用いて構成され、絞り３０３を駆動する。
【００４９】
レンズ操作部３０５は、レンズ部３のレンズ鏡筒の周囲に設けられるリングであり、レンズ部３における光学ズームの操作を開始する指示信号の入力、またはレンズ部３におけるピント位置の調整を指示する指示信号の入力を受け付ける。なお、レンズ操作部３０５は、プッシュ式のスイッチやオンまたはオフを切り替え可能なレバー式のスイッチ等であってもよい。
【００５０】
レンズＦｌａｓｈメモリ３０６は、光学系３０１の位置および動きをそれぞれ決定するための制御用プログラム、光学系３０１のレンズ特性および各種パラメータを記録する。
【００５１】
レンズ通信部３０７は、レンズ部３が本体部２に装着されたときに、本体部２の本体通信部２１９と通信を行うための通信インターフェースである。
【００５２】
レンズ制御部３０８は、ＣＰＵ等を用いて構成され、レンズ操作部３０５から入力される指示信号または本体部２から入力される指示信号に応じてレンズ部３の動作を制御する。具体的には、レンズ制御部３０８は、本体部２から入力される指示信号に応じて、レンズ駆動部３０２を駆動させてレンズ部３のピント合わせを行う。さらに、レンズ制御部３０８は、本体部２から入力される指示信号に応じて、絞り駆動部３０４を駆動させて絞り３０３の絞り値の変更を行う。また、レンズ制御部３０８は、レンズ部３が本体部２に装着された際に、レンズ通信部３０７を介してレンズ部３に関するピント位置情報、焦点距離情報、明るさ情報（ｆ値）、レンズ部３を識別する固有情報を本体部２へ送信する。
【００５３】
以上のように構成された撮像装置１が行う処理の概要について説明する。図２は、撮像装置１が行う処理の概要を示すフローチャートである。
【００５４】
図２において、ユーザによって電源ボタン２１２ｆが操作されて、撮像装置１の電源がオン状態になると、制御部２２１は、撮像装置１の初期化処理を行う（ステップＳ１０１）。この初期化処理において、制御部２２１は、たとえば動画の記録中を示す記録中フラグをオフ状態にリセットしたり、レンズ制御部３０８との間のレンズ通信を開始したりする処理を行う。
【００５５】
続いて、再生ボタン２１２ｅが操作されることなく（ステップＳ１０２：Ｎｏ）、メニューボタン２１２ｄが操作された場合（ステップＳ１０３：Ｙｅｓ）、撮像装置１は、設定を変更するためのメニュー画面を表示部２１３に表示し、ユーザの選択操作に応じて撮像装置１の各種条件を設定するカメラ設定処理を実行する（ステップＳ１０４）。ここで、カメラ設定処理で設定される内容は、仕上がり効果処理、静止画記録モード、動画記録モード等である。仕上がり効果処理には、たとえば画像を自然な色合いに仕上げる処理であるナチュラル、画像を色鮮やかに仕上げる処理であるビビッド、被写体の素材性を重視して仕上げる処理であるフラット、画像をモノクロ調に仕上げる処理であるモノトーンなどが含まれる。静止画記録モードは、記録対象とする静止画の種類に応じて定められ、たとえばＪＰＥＧ記録モード、ＪＰＥＧ＋ＲＡＷ記録モード、ＲＡＷ記録モードなどがある。動画撮影モードは、動画圧縮形式に応じて定められるモードであって、たとえばＭｏｔｉｏｎ−ＪＰＥＧモード、ＭＰ４（Ｈ．２６４）モードなどがある。ステップＳ１０４の後、撮像装置１は、後述するステップＳ１０２へ戻る。
【００５６】
ステップＳ１０２において、再生ボタン２１２ｅが押された場合（ステップＳ１０２：Ｙｅｓ）、撮像装置１は、再生処理を行う（ステップＳ１０５）。この再生処理において、表示制御部２２１ｂは、記録媒体２１５に記録されているファイル一覧を表示部２１３に表示させる。その後、操作入力部２１２によって再生画像が選択された場合、記録媒体２１５から選択された画像データを取得し、取得した画像データを画像圧縮展開部２１１で展開して表示部２１３に表示させる。ステップＳ１０５の後、撮像装置１は、ステップＳ１０２へ戻る。
【００５７】
ステップＳ１０２で再生ボタン２１２ｅが押されることなく（ステップＳ１０２：Ｎｏ）、メニューボタン２１２ｄが押されていない場合（ステップＳ１０３：Ｎｏ）において、動画ボタン２１２ｂが押されたとき（ステップＳ１０６：Ｙｅｓ）、制御部２２１は、動画の記録中を示す記録中フラグを反転する（ステップＳ１０７）。具体的には、制御部２２１は、記録中フラグがオン状態にある場合、その記録中フラグをオフ状態に反転させる。
【００５８】
続いて、制御部２２１は、撮像装置１が動画記録中であるか否かを判断する（ステップＳ１０８）。具体的には、制御部２２１は、ＳＤＲＡＭ２１７に記録された記録中フラグがオン状態であるか否かを判断する。撮像装置１が動画記録中である場合（ステップＳ１０８：Ｙｅｓ）、制御部２２１は、画像データを時系列に沿って順次記録するための動画ファイルを記録媒体２１５に生成する（ステップＳ１０９）。ステップＳ１０９の後、撮像装置１は、ステップＳ１１０へ移行する。
【００５９】
ステップＳ１０６において、動画ボタン２１２ｂが押されていない場合（ステップＳ１０６：Ｎｏ）またはステップＳ１０８において、撮像装置１が動画記録中でない場合（ステップＳ１０８：Ｎｏ）、撮像装置１は、ステップＳ１１０へ移行する。
【００６０】
その後、撮像装置１が動画記録中でなく（ステップＳ１１０：Ｎｏ）、レリーズボタン２１２ａから１ｓｔレリーズ信号が入力された場合（ステップＳ１１１：Ｙｅｓ）、制御部２２１は、ＡＥ処理部２０９にＡＥ処理を実行させるとともに、ＡＦ処理部２１０にＡＦ処理を実行させる（ステップＳ１１２）。
【００６１】
続いて、電源ボタン２１２ｆが押されて撮像装置１の電源がオフ状態になった場合（ステップＳ１１３：Ｙｅｓ）、撮像装置１は、本処理を終了する。これに対して、撮像装置１の電源がオフ状態でない場合（ステップＳ１１３：Ｎｏ）、撮像装置１は、ステップＳ１０２へ戻る。
【００６２】
ステップＳ１１１において、レリーズボタン２１２ａから１ｓｔレリーズ信号がなく（ステップＳ１１１：Ｎｏ）、２ｎｄレリーズ信号が入力された場合（ステップＳ１１４：Ｙｅｓ）、制御部２２１は、シャッタ駆動部２０２を駆動することにより、メカシャッタによる撮影を実行する（ステップＳ１１５）。
【００６３】
続いて、撮像装置１は、第１画像処理部２０７および第２画像処理部２０８それぞれに対して画像処理を実行させる画像制御処理を実行する（ステップＳ１１６）。なお、画像制御処理の詳細は後述する。
【００６４】
その後、制御部２２１は、第１画像処理部２０７が画像処理を施した画像データを静止画として記録媒体２１５に記録する（ステップＳ１１７）。その後、撮像装置１は、ステップＳ１１３へ移行する。
【００６５】
ステップＳ１１０において、撮像装置１が動画記録中である場合（ステップＳ１１０：Ｙｅｓ）、およびステップＳ１１４において、２ｎｄレリーズ信号がない場合（ステップＳ１１４：Ｎｏ）、撮像装置１は、画像制御処理を実行する（ステップＳ１１８）。なお、画像制御処理の詳細は後述する。
【００６６】
続いて、撮像装置１が動画記録中である場合（ステップＳ１１９：Ｙｅｓ）、撮像装置１は、動画の画像データに対して画質を低下させるダウンサンプリング処理を実行する（ステップＳ１２０）。
【００６７】
その後、制御部２２１は、動画データを記録媒体２１５に記録する（ステップＳ１２１）。ステップＳ１２１の後、撮像装置１は、ステップＳ１１３へ移行する。
【００６８】
ステップＳ１１９において、撮像装置１が動画記録中でない場合（ステップＳ１１９：Ｎｏ）、撮像装置１は、ステップＳ１１３へ移行する。
【００６９】
つぎに、図２のステップＳ１１６およびステップＳ１１８で説明した画像制御処理について説明する。図３は、画像制御処理の概要を示すフローチャートである。図４は、撮像装置１が静止画撮影を行う際に、制御部２２１が各部に対して指示する制御の処理タイミングを示すタイミングチャートである。図５は、撮像装置１が動画撮影またはライブビュー画像の表示を行う際に、制御部２２１が各部に対して指示する制御の処理タイミングを示すタイミングチャートである。なお、図４および図５において、横軸が時間を示す。また、図４および図５において、図４（ａ）および図５（ａ）が撮像素子２０３の処理タイミングを示し、図４（ｂ）および図５（ｂ）が第１画像処理部２０７の処理タイミングを示し、図４（ｃ）および図５（ｂ）が第２画像処理部２０８の処理タイミングを示し、図４（ｄ）および図５（ｄ）が表示部２１３の処理タイミングを示す。
【００７０】
図３に示すように、撮像装置１が静止画撮影として画像データに対して静止画画像処理を行う場合（ステップＳ２０１：Ｙｅｓ）、画像処理制御部２２１ａは、第１画像処理部２０７に記録用の静止画画像処理を実行させる（ステップＳ２０２）。具体的には、図４に示すように、画像処理制御部２２１ａは、撮像素子２０３が静止画露光（時点ｔ１）で生成したフルサイズの画像データに対して、第１画像処理部２０７に記録用の静止画画像処理を実行させる（時点ｔ２）。
【００７１】
続いて、第１画像処理部２０７による静止画画像処理が終了していない場合（ステップＳ２０３：Ｎｏ）、制御部２２１は、ＡＥ処理部２０９にＡＥ処理を実行させ（ステップＳ２０４）、撮像素子駆動部２０４を駆動し、撮像素子２０３に表示用の画像データを信号処理部２０５へ出力させることにより、電子シャッタによる撮影を実行する（ステップＳ２０５）。具体的には、図４に示すように、制御部２２１は、撮像素子２０３に表示用露光を実行させて（時点ｔ２）、表示用の画像データを生成させる。ここで、表示用の画像データとは、画像データの各ラインのデータを所定の間隔で間引いた画像データである。
【００７２】
その後、画像処理制御部２２１ａは、画像データに対して、第２画像処理部２０８に表示用の画像処理を実行させる（ステップＳ２０６）。具体的には、図４に示すように、画像処理制御部２２１ａは、撮像素子２０３が表示用露光（時点ｔ２）で生成した表示用の画像データに対して、第２画像処理部２０８に表示用の画像処理を実行させる（時点ｔ３）。
【００７３】
続いて、表示制御部２２１ｂは、第２画像処理部２０８が表示用の画像処理を施した画像データに対応するライブビュー画像を表示部２１３に表示させる（ステップＳ２０７）。具体的には、図４に示すように、表示制御部２２１ｂは、第２画像処理部２０８が表示用の画像処理を施した画像データに対応するライブビュー画像を表示部２１３に表示させる（時点ｔ４）。ステップＳ２０７の後、撮像装置１は、ステップＳ２０３へ戻り、第１画像処理部２０７の静止画画像処理が終了するまで、ステップＳ２０４〜ステップＳ２０７の処理を繰り返し行う（図４の時点ｔ５〜ｔ６を参照）。これにより、第１画像処理部２０７が静止画処理を行っている際に、第２画像処理部２０８が表示用の画像処理を行うことにより、表示部２１３がブラックアウトすることを防止することができる。
【００７４】
ステップＳ２０１において、撮像装置１が静止画撮影して画像データに対して、静止画画像処理を行わない場合（ステップＳ２０１：Ｎｏ）、制御部２２１は、ＡＥ処理部２０９にＡＥ処理を実行させる（ステップＳ２０８）。
【００７５】
続いて、制御部２２１は、撮像素子駆動部２０４を駆動することにより、撮像素子２０３に画像データを信号処理部２０５へ出力させることにより、電子シャッタによる撮影を実行する（ステップＳ２０９）。
【００７６】
ステップＳ２０３において、第１画像処理部２０７による静止画画像処理が終了している場合（ステップＳ２０３：Ｙｅｓ）またはステップＳ２０９の後、制御部２２１は、画像データを分割して第１画像処理部２０７および第２画像処理部２０８それぞれに画像処理を実行させる画像処理分割が設定されているか否かを判断する（ステップＳ２１０）。具体的には、制御部２２１は、撮像装置１に設定された現在の撮影モード、ユーザによって選択された画像処理の内容およびフレームレート等に基づいて、画像処理分割が設定されているか否かを判断する。たとえば、制御部２２１は、撮像装置１に設定された現在の撮影モードが動画モードであったり、表示部２１３にライブビュー画像を表示させたり、またはフレームレートが高速（６０ｆｐｓ）であったりした場合、撮像装置１に画像処理分割が設定されていると判断する。画像処理分割が設定されていると制御部２２１が判断した場合（ステップＳ２１０：Ｙｅｓ）、撮像装置１は、後述するステップＳ２１１へ移行する。これに対して、画像処理分割が設定されていないと制御部２２１が判断した場合（ステップＳ２１０：Ｎｏ）、撮像装置１は、後述するステップＳ２１４へ移行する。
【００７７】
ステップＳ２１１において、画像処理制御部２２１ａは、撮像素子２０３が生成した１フレームの画像データに対して、第１画像処理部２０７および第２画像処理部２０８それぞれに実行させる画像処理の領域を分割して設定する。
【００７８】
図６は、画像処理制御部２２１ａが撮像素子２０３によって生成された１フレームの画像データに対して、第１画像処理部２０７および第２画像処理部２０８それぞれに実行させる画像処理の領域を模式的に示す図である。
【００７９】
図６に示すように、画像処理制御部２２１ａは、撮像素子２０３によって生成された１フレームの画像データＤ１に対して、第１画像処理部２０７および第２画像処理部２０８がそれぞれ実行する画像処理の領域が異なるように画像データを垂直ラインまたは水平ラインの１ライン毎に分割し、第１画像処理部２０７および第２画像処理部２０８がそれぞれ実行する画像処理を水平ライン毎に交互に設定する。具体的には、画像処理制御部２２１ａは、画像データのａライン（たとえば、奇数ライン）に第１画像処理部２０７による画像処理を設定するとともに、画像データのｂライン（たとえば、偶数ライン）に第２画像処理部２０８による画像処理を設定する。
【００８０】
ステップＳ２１０の後、画像処理制御部２２１ａは、画像データに対して、第１画像処理部２０７および第２画像処理部２０８それぞれに画像処理を実行させる（ステップＳ２１２）。具体的には、図５に示すように、画像処理制御部２２１ａは、撮像素子２０３が電子シャッタ（時点ｔ１１）によって出力した画像データに対して、第１画像処理部２０７および第２画像処理部２０８それぞれに画像処理を実行させる（時点ｔ１２）。
【００８１】
続いて、表示制御部２２１ｂは、第１画像処理部２０７および第２画像処理部２０８がそれぞれ画像処理を施した画像データに対応するライブビュー画像を表示部２１３に表示させる（ステップＳ２１３）。具体的には、図５に示すように、表示制御部２２１ｂは、第１画像処理部２０７が画像処理を施したラインの画像データおよび第２画像処理部２０８が画像処理を施したラインの画像データを合わせたライブビュー画像を表示部２１３に表示させる（時点ｔ１３）。これにより、第１画像処理部２０７および第２画像処理部２０８の性能が異なったとしても、画質劣化を低減し、ライブビュー画像のフレームレートを維持することができる。ステップＳ２１３の後、撮像装置１は、図２のメインルーチンへ戻る。
【００８２】
ステップＳ２１４において、画像処理制御部２２１ａは、画像データに対して、第２画像処理部２０８に表示用の画像処理を実行させる。
【００８３】
続いて、表示制御部２２１ｂは、第２画像処理部２０８が表示用の画像処理を施した画像データに対応するライブビュー画像を表示部２１３に表示させる（ステップＳ２１５）。その後、撮像装置１は、図２のメインルーチンへ戻る。
【００８４】
以上説明した本発明の一実施の形態によれば、画像処理制御部２２１ａが画像データを複数の領域に分割し、各領域に対して第１画像処理部２０７または第２画像処理部２０８による画像処理の領域が異なるように第１画像処理部２０７または第２画像処理部２０８による画像処理を実行させる。これにより、第１画像処理部２０７および第２画像処理部２０８の処理能力が異なったとしても、高速なフレームレートで画像を生成することができ、画質の劣化を防止することができる。
【００８５】
さらに、本発明の一実施の形態によれば、複雑な画像処理、たとえばノイズリダクション処理、合成処理およびぼかし処理等を単一の画像処理部でフレームレートを維持させながら実行させるには、高クロック、たとえば２倍のクロックで起動する必要があり、２倍のクロックにすると４倍の電力が必要になるが、互いに性能が異なる第１画像処理部２０７および第２画像処理部２０８それぞれに同じクロックで画像処理を並列で実行させるので、２倍の電力で画像処理を実行させることができ、消費電力を低減することができる。
【００８６】
（変形例１）
本発明では、第１画像処理部２０７および第２画像処理部２０８それぞれが実行する画像処理を複数のライン毎に交互に設定してもよい。この場合、画像処理制御部２２１ａは、第１画像処理部２０７および第２画像処理部２０８がそれぞれ任意の画素の周辺の画素を用いた画像処理、たとえば３×３を用いるぼかしフィルタ処理等を行うとき、このフィルタ処理のサイズに応じて、分割する複数の領域を帯状になるように複数のライン毎に分割し、この分割した領域に対して第１画像処理部２０７および第２画像処理部２０８の画像処理の領域を交互に切り替えながら設定してもよい。これにより、第１画像処理部２０７および第２画像処理部２０８が行うフィルタ処理に応じて、画像データの領域を分割することができ、滑らかな画像を生成することができる。
【００８７】
（変形例２）
本発明では、画像処理部の数が２個以上であっても適用することができる。たとえば、画像処理制御部２２１ａは、画像データに対して、処理能力が異なる複数の画像処理部それぞれに画像処理を実行させる場合、画像データを構成するライン毎に各画像処理部が行うラインを分割して設定することで、複数の画像処理部それぞれに画像処理を実行させる。これにより、それぞれの性能が異なる複数の画像処理を用いる場合であっても、画質の低下を防止しつつ、高速なフレームレートで画像データを生成することができる。
【００８８】
（変形例３）
本発明では、画像データを所定の領域毎に分割し、分割した領域毎に第１画像処理部および第２画像処理それぞれの画像処理を設定してもよい。
【００８９】
図７は、本発明の一実施の形態の変形例３にかかる撮像装置１の画像処理制御部２２１ａが第１画像処理部２０７および第２画像処理部２０８それぞれに設定する画像データの領域を模式的に示す図である。
【００９０】
図７に示すように、画像処理制御部２２１ａは、１フレームの画像データＤ２に対して、格子状の領域毎に分割し、この分割した複数の領域Ｆ１，Ｆ２に第１画像処理部２０７および第２画像処理部２０８それぞれによる画像処理が隣接しないように異ならせて第１画像処理部２０７および第２画像処理部２０８による画像処理の領域Ｆ１，Ｆ２を設定して実行させる。これにより、より見た目が滑らかな画像を生成することができる。
【００９１】
（変形例４）
本発明では、画像データを所定の領域毎に分割し、分割した領域毎に第１画像処理部２０７および第２画像処理部２０８それぞれの画像処理を設定するとともに、画像データ毎に第１画像処理部２０７および第２画像処理部２０８が画像処理を行う領域を変更してもよい。
【００９２】
図８は、本発明の一実施の形態の変形例４にかかる撮像装置１の画像処理制御部２２１ａが第１画像処理部２０７および第２画像処理部２０８それぞれに設定する画像データの領域を模式的に示す図である。
【００９３】
図８（ａ）に示すように、画像処理制御部２２１ａは、Ｎフレーム（Ｎ＝自然数）の画像データＤ３に対して、格子状の領域毎に分割し、この分割した複数の領域Ｆ１，Ｆ２に第１画像処理部２０７および第２画像処理部２０８それぞれによる画像処理を設定して実行させる。その後、図８（ｂ）に示すように、画像処理制御部２２１ａは、Ｎ＋１フレームの画像データＤ４に対して、格子状の領域毎に分割し、この分割した複数の領域Ｆ１，Ｆ２に第１画像処理部２０７および第２画像処理部２０８それぞれによる画像処理をＮフレームの画像データＤ３と異なるように設定して実行させる。
【００９４】
このように、画像処理制御部２２１ａは、フレーム毎に第１画像処理部２０７および第２画像処理部２０８がそれぞれ行う画像処理の領域を切り替える。この結果、画質が第１画像処理部２０７および第２画像処理部２０８による画像処理のどちらか一方に偏らず、安定した動画を得ることができる。
【００９５】
（変形例５）
本発明では、画像データの領域を不規則に分割し、分割した領域毎に第１画像処理部２０７および第２画像処理部２０８それぞれの画像処理を設定して実行させてもよい。
【００９６】
図９は、本発明の一実施の形態の変形例５にかかる撮像装置１の画像処理制御部２２１ａが第１画像処理部２０７および第２画像処理部２０８それぞれに設定する画像データの領域を模式的に示す図である。
【００９７】
図９に示すように、画像処理制御部２２１ａは、１フレームの画像データＤ５に対して、分割する領域の大きさを不規則に変更して分割し、分割した複数の領域毎に第１画像処理部２０７および第２画像処理部２０８それぞれによる画像処理の領域Ｆ１１，Ｆ１２を設定して実行させる。
【００９８】
このように本発明の一実施の形態の変形例５によれば、画像データの領域を不規則に分割した場合であっても、画質を低下させることなく、フレームレートを維持することができる。
【００９９】
なお、本発明の一実施の形態の変形例５では、画像データの領域を画像データ毎（フレーム毎）に分割する領域の大きさを不規則に変更して分割してもよい。
【０１００】
（その他の実施の形態）
ここまで、本発明を実施するための形態を説明してきたが、本発明は上述した実施の形態によってのみ限定されるべきものではない。
【０１０１】
たとえば、本発明において、表示部とは別に電子ビューファインダを本体部に設け、この電子ビューファインダにおいて本発明を適用するようにしてもよい。この場合には、表示部と電子ビューファインダとでライブビュー画像の見え方が異なるようにすればより好ましい。
【０１０２】
また、本発明においては、本体部とレンズ部とが一体的に形成されていてもよい。
【０１０３】
また、本発明にかかる撮像装置は、デジタル一眼レフカメラ以外にも、たとえばアクセサリ等を装着可能なデジタルカメラ、デジタルビデオカメラおよび撮影機能を有する携帯電話やタブレット型携帯機器等の電子機器にも適用することができる。
【０１０４】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１０５】
このように、本発明は、ここでは記載していない様々な実施の形態を含みうるものであり、特許請求の範囲によって特定される技術的思想の範囲内で種々の設計変更等を行うことが可能である。
【符号の説明】
【０１０６】
１  撮像装置
２  本体部
３  レンズ部
２０１  シャッタ
２０２  シャッタ駆動部
２０３  撮像素子
２０４  撮像素子駆動部
２０５  信号処理部
２０６  Ａ／Ｄ変換部
２０７  第１画像処理部
２０８  第２画像処理部
２０９  ＡＥ処理部
２１０  ＡＦ処理部
２１１  画像圧縮展開部
２１２  操作入力部
２１２ａ  レリーズボタン
２１２ｂ  動画ボタン
２１２ｃ  モード切替ボタン
２１２ｄ  メニューボタン
２１２ｅ  再生ボタン
２１２ｆ  電源ボタン
２１３  表示部
２１４  表示駆動部
２１５  記録媒体
２１６  メモリＩ／Ｆ
２１７  ＳＤＲＡＭ
２１８  Ｆｌａｓｈメモリ
２１８ａ  プログラム記録部
２１９  本体通信部
２２０  バス
２２１  制御部
２２１ａ  画像処理制御部
２２１ｂ  表示制御部
【図１】
2014033264.tif 000003
【図２】
2014033264.tif 000004
【図３】
2014033264.tif 000005
【図４】
2014033264.tif 000006
【図５】
2014033264.tif 000007
【図６】
2014033264.tif 000008
【図７】
2014033264.tif 000009
【図８】
2014033264.tif 000010
【図９】
2014033264.tif 000011